(57)【要約】【課題】ストレー・コンポネントのエネルギーを吸収し、電磁干渉を低減し、効率が向上する直流昇圧コンバータを提供すること。【解決手段】カップリング・インダクタンスの1次巻線と2次巻線を直接鉄心または巻線枠架にまき付けて磁気素子とし、超高速回復型、またはショットキー・ダイオードを2つ使用し、キャパシタにはセラミック、または電解キャパシタを使用し、カップリング・インダクタンスの1次巻線と2次巻線の間にダイオードとキャパシタを介在させる。【選択図】図4
0003167282.tif 000002
【実用新案登録請求の範囲】
【請求項１】
直流昇圧コンバータであって、
1つの負端子を接地した独立の電圧源と、その1端子を前記独立電圧源の正端子と連結し、その他端子を接地した第1キャパシタと、その1次巻線の1端子を前記独立電圧源の正端子と連結した、カップリング・インダクタンス・1次巻線と、3端子素子を有し、その中の1つの入力端子は、前記カップリング・インダクタンス・1次巻線の他の1端子と接続し、もう1つの入力端子は、パルス・ワイズ・モジュレーション（PWM）を制御する信号を入力し、更に1つの入力端子を接地した、1つのスイッチ素子と、その正端子は前記カップリング・インダクタンス・1次巻線の他の1端子と連結し、その負端子は第2キャパシタの1端子と接続した第1ダイオードと、その端子は前記カップリング・インダクタンス・1次巻線の1端子と連結し、その他の1端子は前記第1ダイオードの負端子と連結した第2キャパシタと、その2次巻線の1端子は前記第1ダイオードの負端子と連結した、カップリング・インダクタンス・2次巻線と、その正端子は前記カップリング・インダクタンス・2次巻線の他端子と連結した第2ダイオードと、その1端子は前記第2ダイオードの負端子と接続し、他端子を接地した、第3キャパシタとを含む、電磁干渉を低減できる直流昇圧コンバータ。
【請求項２】
前記カップリング・インダクタンス・1次巻線、及び前記カップリング・インダクタンス・2次巻線は直接鉄心に巻かれている磁気素子である、請求項1に記載の直流昇圧コンバータ。
【請求項３】
前記カップリング・インダクタンス・1次巻線、及び前記カップリング・インダクタンス・2次巻線は巻線枠架に巻かれている磁気素子である、請求項1に記載の直流昇圧コンバータ。
【請求項４】
前記カップリング・インダクタンス・1次巻線、及び前記カップリング・インダクタンス・2次巻線は膠質絶縁混合物や絶縁テープの不使用と、巻線枠架の開口部の増設で、散熱効果を拡大する、請求項1に記載の直流昇圧コンバータ。
【請求項５】
前記第1ダイオードと前記第2ダイオードは、超高速回復型ダイオードである、請求項1に記載の直流昇圧コンバータ。
【請求項６】
前記第1ダイオードと前記第2ダイオードは、ショットキー・ダイオードである、請求項1に記載の直流昇圧コンバータ。
【請求項７】
前記第1、第2と第3キャパシタは、セラミック・キャパシタである、請求項1に記載の直流昇圧コンバータ。
【請求項８】
前記第1、第2と第3キャパシタは、電解キャパシタである、請求項1に記載の直流昇圧コンバータ。
【請求項９】
前記スイッチ素子はMOSFETである、請求項1に記載の直流昇圧コンバータ。
【請求項１０】
前記スイッチ素子は２極トランジスタである、請求項1に記載の直流昇圧コンバータ。
【請求項１１】
直流昇圧コンバータであって、
1つの負端子を接地した独立電圧源と、その1端子は前記独立電圧源の正端子と連結し、他端子を接地した第1キャパシタと、その1次巻線の1端は前記独立電圧源の正端子と連結した、カップリング・インダクタンス・1次巻線と、3端子の素子を有し、その入力端子は前記カップリング・インダクタンス・1次巻線の他端子と接続し、他の入力端子は、パルス・ワイズ・モジュレーション（PWM）を制御する信号を入力し、1つの出力端子を接地したスイッチ素子と、その正端子は前記カップリングインダクタンス・1次巻線の他端子と連結した第1ダイオードと、その1端子は前記第1ダイオードの負端子と連結し、その他端子を接地した、第2キャパシタと、その1端子は前記第1ダイオードの負端子と連結した、カップリング・インダクタンス・2次巻線と、その1端子は前記カップリング・インダクタンス・2次巻線の1端子と接続した、第3キャパシタと、その正端子は前記カップリング・インダクタンス・2次巻線の他端子と連結し、その負端子は前記第3キャパシタの他端子と連結した、第2ダイオードとを含む、電磁干渉を低減できる直流昇圧コンバータ。
【請求項１２】
前記カップリング・インダクタンス・1次巻線、及び前記カップリング・インダクタンス・2次巻線は直接鉄心に巻かれている磁気素子である、請求項11に記載の直流昇圧コンバータ。
【請求項１３】
前記カップリング・インダクタンス・1次巻線、及び前記カップリング・インダクタンス・2次巻線は、巻線枠架に巻かれている磁気素子である、請求項11に記載の直流昇圧コンバータ。
【請求項１４】
前記カップリング・インダクタンス・1次巻線、及び前記カップリング・インダクタンス・2次巻線は、膠質絶縁混合物や絶縁テープの不使用と、巻線枠架の開口部の増設で、散熱効果を拡大する、請求項11に記載の直流昇圧コンバータ。
【請求項１５】
前記第1ダイオードと前記第2ダイオードは、超高速回復型ダイオードである、請求項11に記載の直流昇圧コンバータ。
【請求項１６】
前記第1ダイオードと前記第2ダイオードは、ショットキー・ダイオードである、請求項11に記載の直流昇圧コンバータ。
【請求項１７】
前記第1、第2と第3キャパシタは、セラミック・キャパシタである、請求項11に記載の直流昇圧コンバータ。
【請求項１８】
前記第1、第2と第3キャパシタは、電解キャパシタである、請求項11に記載の直流昇圧コンバータ。
【請求項１９】
前記スイッチ素子はMOSFETである、請求項11に記載の直流昇圧コンバータ。
【請求項２０】
前記スイッチ素子は2極トランジスタである、請求項11に記載の直流昇圧コンバータ。
【請求項２１】
直流昇圧コンバータであって、
その負端子を接地した1つの独立電圧源と、その1端子は前記独立電圧源の正端子と連結し、他端子を接地した第1キャパシタと、その1次巻線は前記独立電圧源の正端子と連結した、カップリング・インダクタンス・1次巻線と、3端子の素子を有し、その1つの入力端子は前記カップリング・インダクタンス・1次巻線の他端子と接続し、他の入力端子は、パルス・ワイズ・モジュレーション（PWM）を制御する信号を入力し、1つの出力端子を接地した、スイッチ素子と、その正端子は前記カップリング・インダクタンス・１次巻線の他端子と連結した第1ダイオードと、その1端子は前記第1ダイオードの負端子と連結した第2キャパシタと、その2次巻線の1端子は前記第1ダイオードの負端子と連結した、カップリング・インダクタンス・2次巻線と、その正端子は前記カップリング・インダクタンス・2次巻線の他端子と連結し、その負端子は前記第2キャパシタの他端子と連結した、第2ダイオードとを含む、電磁干渉を低減できる直流昇圧コンバータ。
【請求項２２】
前記カップリング・インダクタンス・1次巻線、及び前記カップリング・インダクタンス・2次巻線は直接鉄心に巻かれている磁気素子である、請求項21に記載の直流昇圧コンバータ。
【請求項２３】
前記カップリング・インダクタンス・1次巻線、及び前記カップリング・インダクタンス・2次巻線は、巻線枠架に巻かれている磁気素子である、請求項21に記載の直流昇圧コンバータ。
【請求項２４】
前記カップリング・インダクタンス・1次巻線、及び前記カップリング・インダクタンス・2次巻線は、膠質絶縁混合物や絶縁テープの不使用と、巻線枠架の開口部の増設で、散熱効果を拡大する、請求項21に記載の直流昇圧コンバータ。
【請求項２５】
前記第1ダイオードと前記第2ダイオードは、超高速回復型ダイオードである、請求項21に記載の直流昇圧コンバータ。
【請求項２６】
前記第1ダイオードと前記第2ダイオード、ショットキー・ダイオードである、請求項21に記載の直流昇圧コンバータ。
【請求項２７】
前記第1と第2キャパシタは、セラミック・キャパシタである、請求項21に記載の直流昇圧コンバータ。
【請求項２８】
前記第1と第2キャパシタは、電解キャパシタである、請求項21に記載の直流昇圧コンバータ。
【請求項２９】
前記スイッチ素子はMOSFETである、請求項21に記載の直流昇圧コンバータ。
【請求項３０】
前記スイッチ素子は2極トランジスタである、請求項21に記載の直流昇圧コンバータ。
【請求項３１】
直流昇圧コンバータであって、
その負端子を接地した、1つの独立電圧源と、その1端子は前記独立電圧源の正端子と連結し、その他端子を接地した第1キャパシタと、その1次巻線の1端子は前記独立電圧源の正端子と連結した、カップリング・インダクタンス・1次巻線と、3端子の素子を有し、その1つの入力端子は前記カップリング・インダクタンス・1次巻線の他端子と接続し、他の入力端子は、パルス・ワイズ・モジュレーション（PWM）を制御する信号を入力し、1つの出力端子を接地したスイッチ素子と、その正端子は前記カップリング・インダクタンス・1次巻線の他端子と連結した第1ダイオードと、その1端子は前記第1ダイオードの負端子と連結し、他端子を接地した第2キャパシタと、その巻線の1端子は、その1次巻線の1端子と連結した、カップリング・インダクタンス・2次巻線と、その1端子は前記第1ダイオードの負端子と接続し、他端子は前記第2ダイオードの負端子と連結した、第3キャパシタと、その正端子は前記カップリング・インダクタンス・2次巻線の他端子と連結し、その負端子は前記第3キャパシタの1端子と連結した、第2ダイオードとを含む、電磁干渉を低減できる直流昇圧コンバータ。
【考案の詳細な説明】
【技術分野】
【０００１】
本考案はLED駆動回路の改良に応用できる装置に関するもので、特にLEDの交流コンバータ回路やLEDの電源供給器に応用される装置に関するものである。
【背景技術】
【０００２】
LED電圧コンバータの中で、直流対直流コンバータ(DC/DC Converter)は、目前LED駆動回路の改良に良く応用され、特にLEDの交流コンバータ回路やLEDの電源供給器に応用されるものである。
【０００３】
図１は従来における、カップリング・インダクタンス式コンバータの回路図を示し、図2と図3はそれぞれ、従来技術における、MOSFETのパラスチック・キャパシタの概略図と、回路のパーツのストレーコンポネントやPCBレイアウト・ライン（PCB  Layout Line)を示している。
【０００４】
例えばゲート・ドレーン・キャパシタ21、ゲート・ソース・キャパシタ22、ソース・ドレーン・キャパシタ23及びPCBレイアウト・ラインやその他の回路パーツ、ストレー・コンポネント（例えばストレー・インダクタンス1，12)は、切替の時にオシレーションを起こし、電圧/電流スパイク（voltag/current spike,△V/△ｔ、△i/△ｔ）が発生する。このスパイクは回路の転換効率を低減するのみならず、高周波成分を含有するので、輻射性の電磁干渉（Radiation EMT）を引起し、線路上の信号を干渉し、甚だしきは設備の運行を停止させる。
【０００５】
このように上述の従来の技術には大なる欠陥があるので、完全な技術に到達するまで幾多の改良の余地があるものである。
【０００６】
本考案は以上のような従来技術の欠陥に鑑み、これを改善せんがため、長年に亘る研鑽の結果、遂に本考案の電磁干渉を低減できる、直流昇圧コンバータを開発するに至ったのである。
【考案の概要】
【考案が解決しようとする課題】
【０００７】
本考案の目的とするところは、従来のダイオードの駆動回路やダイオード・コンバータの回路構成に改良を加え、ダイオードやキャパシタなどを加入し、以てストレー・コンポネントのエネルギーを吸収し、電磁干渉を低減し、効率が向上して、従来の転換効率85〜90％を90％以上に向上させることにある。
【０００８】
上記の目的を達成せんがため、本考案では電磁干渉を低減できる直流昇圧コンバータを提供する。これには1つの負端子を接地した独立の電圧源と、その1端子を独立電圧源の正端子と連結し、その他端子を接地した第1キャパシタと、その1次巻線の1端子を独立電圧源の正端子と連結したカップリンク・インダクタンス・1次巻線と、3端子素子を有し、その中の1つの入力端子は、カップリング・インダクタンス・1次巻線の他の1端子と接続し、もう1つの入力端子は、パルス・ワイズ・モジュレーション（PWM）を制御する信号を入力し、更に1つの入力端子を接地した1つのスイッチ素子と、その正端子はカップリング・インダクタンス・1次巻線の他の1端子と連結し、その負端子は第2キャパシタの1端子と接続した第1ダイオードと、その1端子はカップリング・インダクタンス1次巻線の1端子と連結し、その他の1端子は第1ダイオードの負端子と連結した第2キャパシタと、その2次巻線の1端子は第1ダイオードの負端子と連結した、カップリング・インダクタンス・2次巻線と、その正端子はカップリング・インダクタンス・2次巻線の他端子と連結した第2ダイオードと、その1端子は第2ダイオードの負端子と接続し、他端子を接地した、第3キャパシタとを含む、電磁干渉を低減できる直流昇圧コンバータを提供する。    
【０００９】
このカップリング・インダクタンスの1次巻線と2次巻線は、直接鉄心、或いは巻線枠架に巻かれていて磁気素子として作用し、膠質の絶縁混合物、絶縁テープを使用しなく、また巻線枠架の開口部を増設したりして、散熱効果を拡大している。第1と第2ダイオードは超高速回復型ダイオードまたは、ショットキー・ダイオードである。また、第1、第2と第3キャパシタは共にセラミック、または電解キャパシタである。本考案に係るDC/DCコンバータは1次巻線と2次巻線を具備したカップリング・インダクタンスでエネルギーを貯存する装置であり、1次と2次巻線の間にダイオ-ドとキャパシタを各々1つ設けて、スイッチ素子の動作停止の際のカップリング・インダクタンスと、ストレー・コンポネントの放電ルートを提供し、電圧/電流スパイクを軽減するのである。
【考案の効果】
【００１０】
本考案の直流昇圧コンバータに於ては、カップリング・インダクタンスの1次と2次巻線間に、ダイオードとキャパシタが介在しているので、電気供給停止のとき、この放電ルートを利用して電圧/電流スパイクを軽減し、電磁干渉を抑制する効果がある。
【図面の簡単な説明】
【００１１】
【図１】図１は従来の技術による、カップリング・インダクタンス式コンバータの回路図である。
【図２】図2はMOSFETのパラスチック・キャパシタを示す説明図である。
【図３】図3は回路のパーツとPCBレイアウト・ラインのストレー・コンポネントの概略図である。
【図４】図４は本考案に係る第1の回路構成を示す説明図である。
【図５】図５は本考案に係る第２実施形態の回路構成を示す説明図である。
【図６】図６は本考案に係る第３実施形態の回路構成を示す説明図である。
【図７】図７は本考案に係る第4実施形態の回路構成を示す説明図である。
【考案を実施するための形態】
【００１２】
図4は本考案に係る第1実施例図である。
この直流昇圧コンバータには負端子を接地した独立電圧源と、その1端子は該独立電圧源の正端子と点１５１で点接続し、他端子は接地した第1キャパシタ111と、その1次巻線の1端は該独立電圧源の正端子と点151で連結したカップリング・インダクタンス1次巻線121と、3端子の素子を有し、その１入力端子は点152で、該カップリング・インダクタンス1次巻線の他端子と接続し、他の入力端子156は、パルス・ワイズ・モジュレーション（PWM）を制御する信号を入力し、1つの出力端子を接地したスイッチ素子141と、その正端子は該カップリング・インダクタンス1次巻線121の他端子と点152にて連結し、その負端子は点153にて第2キャパシタ112の1端子と接続した第1ダイオード131と、その1端子は、該カップリング・インダクタンス1次巻線121の1端子と点151にて連結し、他端子は点153にて第1ダイオード131の負端子と連結した第2キャパシタ112と、その2次巻線の1端子は、第1ダイオード131の負端子と点153にて連結したカップリング・インダクタンス2次巻線122と、その正端子は、該カップリング・インダクタンス2次巻線の他端子と点154にて連結した第2ダイオード132と、その1端子は点155にて第2ダイオード132の負端子と連結し、他端子を接地した第3キャパシタ113とを含んでいる。  
【００１３】
カップリング・インダクタンスの1次巻線121と2次巻線122は、直接鉄心、或いは巻線枠架に巻かれ、磁気素子として作用する。1次と2次巻線121、122は膠質の絶縁混合物や絶縁テープの不使用と、巻線枠架の蓋部に開口を増設することにより、散熱の効果を拡大している。第1と第2ダイオード131、132は超高速回復型ダイオード、またはショットキー・ダイオードである。第1、第2、及び第3キャパシタ111、112、113は共にセラミック、或いは電解キャパシタである。本考案に係るコンバータはDC/DCコンバータであり、カップリング・インダクタンスの1次と2次の巻線により、エネルギーを貯存する装置である。ダイオードとキャパシタを各々1つ、カップリング・インダクタンスの1次巻線と2次巻線の間に介在させることにより、スイッチ素子の動作停止の際、カップリング・インダクタンスと、ストレー・コンポネントの放電ルートを提供し、電圧/電流スパイクを軽減させる。
【００１４】
図5は本考案の第2実施例図である。
この直流昇圧コンバータには負端子を接地した独立電圧源と、その1端子は該独立電圧源の正端子と点251にて連結し、他端子を接地した第1キャパシタ211と、その1次巻線の1端は該独立電圧源の正端子と連結した、カップリング・インダクタンス1次巻線221と、3端子の素子を有し、その入力端子は点252にて該カップリング・インダクタンス1次巻線221の他端子と接続し、他の入力端子256は、パルス・ワイズ・モジュレーション（PWM)を制御する信号を入力し、1つの出力端子を接地したスイッチ素子241と、その正端子は該カップリング・インダクタンス1次巻線221の他端子と点252にて連結した第1ダイオード231と、その1端子は第1ダイオード231の負端子と点253にて連結し、その他端子を接地した、第2キャパシタ212と、その1端子は第1ダイオード231の負端子と点253にて連結した、カップリング・インダクタンス2次巻線222と、その1端子は点253にて、該カップリング・インダクタンス・2次巻線222の1端子と接続した、第3キャパシタと、その正端子は該カップリング・インダクタンス2次巻線の他端子と点255にて連結し、その負端子は第3キャパシタの他端子と点254にて連結した、第2ダイオード232とを含んでいる。
【００１５】
カップリング・インダクタンスの1次巻線221と2次巻線222は、直接鉄心、或いは巻線枠架に巻かれて、磁気素子として作用する。1次と2次巻線121、122は膠質の絶縁混合物や絶縁テープの不使用と、巻線枠架の蓋部に開口を増設することにより、散熱の効果を拡大している。第1と第2ダイオード231,232は超高速回復型ダイオード、またはショットキー・ダイオードである。第1、第2、及び第3キャパシタ211、212、213は共にセラミック、或いは電解キャパシタである。本考案に係るコンバータはDC/DCコンバータであり、カップリング・インダクタンスの1次と2次の巻線により、エネルギーを貯存する装置である。ダイオードとキャパシタを各々1つ、カップリング・インダクタンスの1次巻線と2次巻線の間に介在させることにより、スイッチ素子の動作停止の際、カップリング・インダクタンスとストレー・コンポネントの放電ルートを提供し、電圧/電流スパイクを軽減させる。
【００１６】
図6は本考案の第3実施例図である。
この直流昇圧コンバータには、その負端子を接地した、1つの独立電圧源と、その1端子は点351にて独立電圧源の正端子と連結し、他端子を接地した第1キャパシタ311と、その1次巻線は独立電圧源の正端子と点351にて連結した、カップリング・インダクタンス1次巻線321と、3端子の素子を有し、その1つの入力端子は点352にて、カップリング・インダクタンス・1次巻線の他端子と接続し、他の入力端子356は、パルス・ワイズ・モジュレーション（PWM）を制御する信号を入力し、1つの出力端子を接地した、スイッチ素子341と、その正端子はカップリング・インダクタンス1次巻線321の他端子と点352にて連結した第1ダイオード331と、その1端子は第1ダイオードの負端子と点353にて連結した第2キャパシタ312と、その2次巻線の1端子は第1ダイオードの負端子と点353にて連結した、カップリング・インダクタンス・2次巻線322と、その正端子はカップリング・インダクタンス・2次巻線の他端子と点355にて連結し、その負端子は第2キャパシタ312の他端子と点354にて連結した、第2ダイオード332とを含んでいる。
【００１７】
カップリング・インダクタンスの1次巻線321と2次巻線322は、直接鉄心、或いは巻線枠架に巻かれて、磁気素子として作用する。1次と2次巻線321、322は、膠質の絶縁混合物や絶縁テープの不使用と、巻線枠架の蓋部に開口を増設することにより、散熱の効果を拡大している。第1と第2ダイオード331、332は超高速回復型ダイオード、またはショットキー・ダイオードである。第1、第2キャパシタ311、312は共にセラミック、或いは電解キャパシタである。本考案に係るコンバータはDC/DCコンバータであり、カップリング・インダクタンスの1次と2次の巻線により、エネルギーを貯存する装置である。ダイオードとキャパシタを各々1つ、カップリング・インダクタンスの1次巻線と2次巻線の間に介在させることにより、スイッチ素子の動作停止の際、カップリング・インダクタンスとストレイー・コンポネントの放電ルートを提供し、電圧/電流スパイクを軽減させるのである。
【００１８】
図7は本考案の第4実施例図である。
この直流昇圧コンバータには、その負端子を接地した、1つの独立電圧源と、その1端子は点451にて独立電圧源の正端子と連結し、その他端子を接地した第1キャパシタ411と、その1次巻線の1端子は独立電圧源の正端子と点451にて連結した、カップリング・インダクタンス1次巻線421と、3端子の素子を有し、その1つの入力端子は点452にて、カップリング・インダクタンス・1次巻線421の他端子と接続し、他の入力端子455は、パルス・ワイズ・モジュレーション（PWM）を制御する信号を入力し、1つの出力端子を接地したスイッチ素子441と、その正端子はカップリング・インダクタンス・1次巻線421の他端子と点452にて連結した第1ダイオード431と、その1端子は第1ダイオード341の負端子と点453にて連結し、他端子を接地した第2キャパシタ412と、その巻線の1端子は、その1次巻線421の1端子と点451にて連結したカップリング・インダクタンス・2次巻線422と、その1端子は点453にて第1ダイオード431の負端子と接続し、他端子は第2ダイオード432の負端子と点454にて連結した第3キャパシタ413と、その正端子はカップリング・インダクタンス・2次巻線422の他端子と点456にて連結し、その負端子は第3キャパシタ413の1端子と点454にて連結した第2ダイオード432とを含んでいる。
【００１９】
カップリング・インダクタンスの1次巻線421と2次巻線422は直接鉄心、或いは巻線枠架に巻かれて、磁気素子として作用する。1次と2次巻線421、422は膠質の絶縁混合物や絶縁テープの不使用と、巻線枠架の蓋部に開口を増設することにより、散熱の効果を拡大している。第1と第2ダイオード431、432は超高速回復型ダイオード、またはショットキー・ダイオードである。第1、第2及び第3キャパシタ411、412、413は皆セラミック、或いは電解キャパシタである。本考案に係るコンバータはDC/DCコンバータであり、カップリング・インダクタンスの1次と2次の巻線により、エネルギーを貯存する装置である。カップリング・インダクタンスの1次巻線には、ダイオードとキャパシタを有して、スイッチ素子の動作停止の際、カップリング・インダクタンスとストレー・コンポネントの放電ルートを提供し、電圧/電流スパイクを軽減させるのである。
【産業上の利用可能性】
【００２０】
本考案に係る直流昇圧コンバータは、従来の物品と異なり、カップリング・インダクタンスの1次と2次巻線間にダイオードとキャパシタを介在させているので、電源が停止した場合、これらは適当な放電ルートとなり、電圧/電流スパイクが軽減され、電磁干渉が抑制されるので、コンバータの効率が向上して、従来品の転換効率が85〜90％であったのを90％以上に向上させることが可能となり、産業上の利用に寄与する所甚大であると思考する。
【００２１】
本考案は、その技術的思想から逸脱することなく、他の種々の形態で実施することができる。上述の実施例はあくまでも、本考案の技術内容を明らかにするものであって、そのような具体例のみに限定して狭義に解釈されるべきものではなく、本考案の精神と特許請求の範囲内で色々と変更して実施することができるものである。
【符号の説明】
【００２２】
11.12：ストレー・コンポネント          21：ゲート・ドレーン・キャパシタ
22：ゲート・ソース・キャパシタ            23：ソース・ドレーン・キャパシタ
111.211.311.411：第1キャパシタ    112.212.312.412：第2キャパシタ
113.213.413：第3キャパシタ
121.221.321.421：カップリング・インダクタンス・1次巻線
122.222.322.422：カップリング・インダクタンス・2次巻線
131.231.331.431：第1ダイオード    132.232.332.432：第2ダイオード
141.241.341.441：スイッチ素子    
151．152.153．154.155．156.251．252.253．254.255．256.351．352.353.354．355.356．451.452．453.454．455.456：点（ノード）
【図１】
0003167282.tif 000003
【図２】
0003167282.tif 000004
【図３】
0003167282.tif 000005
【図４】
0003167282.tif 000006
【図５】
0003167282.tif 000007
【図６】
0003167282.tif 000008
【図７】
0003167282.tif 000009